(57)【要約】      （修正有）【課題】りゅうずヘッドのキャップのねじを完全に抜くのを防止するりゅうずヘッドを提供する。【解決手段】キャップ１１と、時計のケース内に固定されるように設計されたチューブ２０と、チューブ２０と係合するように設計された中心パイプ２３とを備える、時計用りゅうずヘッド１０であって、過剰な流体を放出するために、バルブが開いた構成にあるとき、ケースの内側と流体でつながっていることができるように設計された放出路を備える安全バルブを備え、安全バルブはピストン３２と、ピストン３２と協働するように設計された弾性部材３４とを備え、りゅうずヘッド１０はまた、キャップ１１とチューブ２０の分離を防止する閉塞手段を備え、閉塞手段は、チューブ２０の内壁上に配列され、かつピストン３２の一部が当接することができる肩部２１ｂの形と、中心パイプ２３の基部に提供され、かつピストン３２上の肩部２１ｂと当接するリム２３ａの形をとる。【選択図】図１
2019020414.tif 000002
【特許請求の範囲】
【請求項１】
時計用、詳細にはダイバーズウォッチ用りゅうずヘッド（１０）であって、カバー（１２）および軸方向スカート（１３）を備えるキャップ（１１）と、前記時計のケース内に固定されるように設計されたチューブ（２０）と、前記チューブ（２０）と前記軸方向スカート（１３）の間に配置された密封ガスケット（１７）と、前記チューブ（２０）と係合するように設計された中心パイプ（２３）とを備え、前記中心パイプ（２３）および前記キャップ（１１）は、前記チューブ（２０）に対して異なる軸方向位置に配置することができる組立体を形成し、前記りゅうずヘッド（１０）はまた、過剰な流体を放出するために、安全バルブが開いた構成にあるとき、前記ケースの内側と流体でつながっていることができるように設計された放出路を備える前記安全バルブを備え、前記安全バルブはまた、前記中心パイプ（２３）の内側にはめ込まれたピストン（３２）と、前記ケースの内側の圧力変動に従って軸方向に移動させられるように構成された前記ピストン（３２）と協働するように設計された弾性部材（３４）とを備え、前記りゅうずヘッド（１０）はまた、前記キャップ（１１）と前記チューブ（２０）の分離を防止する閉塞手段を備えるりゅうずヘッド（１０）であって、前記閉塞手段は、前記チューブ（２０）の内壁（２１）上に配列され、かつ前記ピストン（３２）の一部が当接することができる支持表面を備える肩部（２１ｂ）の形をとる、および前記中心パイプ（２３）の基部に提供され、かつ前記ピストン（３２）上に提供された肩部（３２ａ）と当接するように設計されたリム（２３ａ）の形をとることを特徴とするりゅうずヘッド（１０）。
【請求項２】
前記チューブ（２０）の前記肩部（２１ｂ）と当接することができる、前記ピストン（３２）の前記一部は、前記ピストン（３２）と一体化したガイドねじ（３３）のヘッド（３３ａ）により形成されることを特徴とする、請求項１に記載のりゅうずヘッド。
【請求項３】
前記安全バルブはまた、前記流体の出力速度を制御するために、前記放出路の内側に配列された圧力調整器を備えることを特徴とする、請求項１または２に記載のりゅうずヘッド。
【請求項４】
前記圧力調整器は、ボール座部（３７）と協働するように設計されたボール（３５）を備え、前記ボールは、前記ボールの上流の内圧が所定の値よりも小さいとき、前記放出路内を流体が通過するのを妨害するなどのために、前記ボール座部上に配列され、前記ボール（３５）は、前記流体輸送路を確立するために、前記内圧が前記所定の値を超えるとき、前記ボール座部（３７）から押しのけられることを特徴とする、請求項３に記載のりゅうずヘッド。
【請求項５】
前記ボール座部（３７）、前記チューブ（２０）、および前記軸方向スカート（１３）は、前記キャップ（１１）の回転軸（Ａ）に対して回転対称であり、前記ボール座部（３７）は、前記放出路の入力に対応する中央開口部（３０）だけではなく、前記ボール（３５）と接触するように設計された支持表面（３７ｂ）も備えることを特徴とする、請求項４に記載のりゅうずヘッド。
【請求項６】
前記安全バルブはまた、気体を透過させるように、かつ前記内圧が所定の値を超えるとき、前記ケースの内側から外側への流体輸送路を確立するように設計された膜（４０）を備え、前記膜は、前記ケースの前記外側から前記ケースの前記内側へ循環する液体を透過させないことを特徴とする、請求項１または２に記載のりゅうずヘッド。
【請求項７】
前記ピストン（３２）および前記弾性部材（３４）は、最初に、制御ロッドの変位を活動化することができるように、次に、前記ケースの内側の前記圧力を調整するように設計された組立体を形成することを特徴とする、請求項１から請求項６のいずれかに記載のりゅうずヘッド。
【請求項８】
請求項１から請求項７のいずれかに記載の前記りゅうずヘッドを備える時計、詳細にはダイバーズウォッチ。
【発明の詳細な説明】
【技術分野】
【０００１】
本発明は、時計のりゅうずヘッド内に一体化されるように構成された安全バルブに関する。このタイプのバルブは、詳細には、ダイバーズウォッチに最適である。
【背景技術】
【０００２】
周囲圧力よりも大きな圧力をケースの内側に存在させ、その結果、水、流れ、もしくはちりがケースの内側に浸透するのを防止するためにケースの中に気体を吹き込むことを可能にするために、またはそれどころか、ケースを閉じたときにケース内に含まれる空気の影響で動くことを防止する目的でケースの内側に真空を生み出すために、バルブを備えるりゅうずヘッドを有するウォッチケースを提供することは公知である。ねじ込まれた位置では、このタイプのりゅうずヘッドは、時計の密封を強化することを確実にする。ねじを戻した位置では、りゅうずヘッドは、開いた構成になり、過剰な流体を放出することを可能にする。りゅうずヘッドは、ねじを戻されたとき、異なる軸方向位置を採用することもでき、各軸方向位置は、調節モードを実現することを可能にする。
【０００３】
しかしながら、ユーザは、りゅうずヘッドのキャップのねじを戻すことによりりゅうずヘッドのねじを戻すとき、ねじを戻してキャップを完全に抜く危険を冒し、その結果、キャップとりゅうずヘッドの残りの部分を分離させる。このとき、ユーザは、キャップを失う危険を冒す、または少なくとも、密封を所定の位置にさらに戻しながら、キャップを正確に再びはめ込むことが困難であるという危険を冒す。
【発明の概要】
【発明が解決しようとする課題】
【０００４】
その結果、本発明の目的は、りゅうずヘッドのキャップのねじを完全に抜くのを防止するりゅうずヘッドを提案することである。
【課題を解決するための手段】
【０００５】
このために、カバーおよび軸方向スカートを備えるキャップと、時計の場合、固定されるように設計されたチューブと、チューブと軸方向スカートの間に配置された密封ガスケットと、チューブと係合するように設計された中心パイプとを備える、時計用、詳細にはダイバーズウォッチ用りゅうずヘッドについて提案する。中心パイプおよびキャップは、チューブに対して異なる軸方向位置に置くことができる組立体を形成する。りゅうずヘッドはまた、過剰な流体を放出するために、バルブが開いた構成にあるとき、ケースの内側と流体でつながっていることができるように設計された放出路を備える安全バルブを備え、前記安全バルブはまた、中心パイプの内側にはめ込まれたピストンと、ケースの内側の圧力変動に従って軸方向に移動させられるように構成されたピストンと協働するように設計された弾性部材とを備える。りゅうずヘッドはまた、キャップとチューブの分離を防止する閉塞手段を備える。
【０００６】
本発明によれば、閉塞手段は、チューブの内壁上に配列され、かつピストンの一部が当接することができる支持表面を備える肩部と、中心パイプの基部に提供され、かつピストン上に提供された肩部と当接するように設計されたリムとを備える。
【０００７】
有利な一実施形態によれば、チューブの肩部と当接することができるピストンの一部は、ピストンと一体化したガイドねじのヘッドにより形成される。
【０００８】
第１の変形実施形態によれば、安全バルブはまた、流体の出力速度を制御するために、放出路の内側に配列された圧力調整器を備えることができる。
【０００９】
有利な一実施形態によれば、圧力調整器は、ボール座部と協働するように設計されたボールを備える。このボールは、ボールの上流の内圧が所定の値よりも低いとき、放出路内を流体が通過するのを妨害するなどのために、ボール座部上に配列される。ボールは、前記流体輸送路を確立するために、前記内圧が所定の値を超えるとき、ボールの座部から押しのけられる。
【００１０】
有利な一実施形態によれば、ボール座部、チューブ、および軸方向スカートは、キャップの回転軸（Ａ）に対して回転対称である。座部は、放出路の入力に対応する中央開口部だけではなく、ボールと接触するように設計された支持表面も備える。
【００１１】
第２の変形実施形態によれば、安全バルブはまた、気体を透過させるように、かつ前記内圧が所定の値を超えるとき、ケースの内側から外側への流体輸送路を確立するように設計された膜を備えることができ、膜は、ケースの外側からケースの内側へ循環する液体を透過させない。
【００１２】
有利な一実施形態によれば、ピストンおよび弾性部材は、最初に、制御ロッドの変位を活動化することができるように、次に、ケース内側の圧力を調整するように設計された組立体を形成する。
【００１３】
本発明はまた、上記で規定するような、少なくとも調節りゅうずヘッドを備える時計に関し、詳細には、ダイバーズウォッチに関する。
【００１４】
本発明の他の特徴および利点は、全く限定しない例として提供されるいくつかの実施形態を、添付図面を参照して読むことにより明らかになるであろう。
【図面の簡単な説明】
【００１５】
【図１】第１の実施形態による、安全バルブが閉じた構成で、ねじ込まれた位置にある調節りゅうずヘッドの半断面図を示す。
【図２】調節りゅうずヘッドがねじを戻した位置にあり、かつ安全バルブが開いた構成にある、図１に類似する図である。
【図３ａ−３ｃ】図２と同一であり、放出路内の流体、たとえばヘリウムの進行を概略的に示す。
【図４】安全バルブが閉じた構成で、別の実施形態による、ねじ込まれた位置にある調節りゅうずヘッドの半断面図を示す。
【図５】調節りゅうずヘッドがねじを戻した位置にあり、かつ安全バルブが開いた構成にある、図４に類似する図である。
【発明を実施するための形態】
【００１６】
次に、本発明の第１の実施形態による、詳細にはダイバーズウォッチ用調節りゅうずヘッド１０について、図１〜図３ｃを参照して説明する。
【００１７】
りゅうずヘッド１０は、ケースの中央部の中にねじ込むことにより、または追いやることにより、ウォッチケース（図示せず）上に固定されるように設計されたチューブ２０を備える。チューブ２０は、チューブ２０の内壁２１内に配置された、雌ねじを切られた部分２１ａだけではなく、チューブ２０の外壁２２の外周を囲むように配置された膨らみ２２ａも備える。りゅうずヘッド１０はまた、カバー１２と、キャップ１１の回転軸Ａを中心とする回転対称の軸方向スカート１３とを備えるキャップ１１を備える。キャップ１１のカバー１２および軸方向スカート１３は、キャップ１１のキャビティ１５を画定する。りゅうずヘッド１０はまた、キャップ１１内のキャビティ１５内に配列され、かつキャップ１１と一体化した中心パイプ２３を備える。りゅうずヘッド１０の外壁２５上に、中心パイプ２３は、チューブ２０の雌ねじを切られた部分２１ａの中にねじ込まれた、ねじ山を切られた部分２５ａを備える。
【００１８】
調節りゅうずヘッド１０はまた、りゅうずヘッドがねじ込まれた第１の軸方向位置にキャップ１１があろうが、りゅうずヘッドがねじを戻された第２の軸方向位置にキャップ１１があろうが、それにかかわりなく、りゅうずヘッドの密封を保証するなどのために、キャップ１１の軸方向スカート１３とチューブ２０の間に置かれた密封ガスケット１７を備える。この実施形態では、この密封ガスケット１７は、Ｏリングシールである。この密封ガスケット１７は、軸方向スカート１３上に提供された円形肩部１４と、環状の形状を有する保持リング１８との間に配列される。このリング１８は、チューブ２０と対向する軸方向スカート１３の基部の方にある、対応する形状を有する溝１６内に、たとえば追いやることにより固定される。
【００１９】
図１を参照すると、密封ガスケット１７は、チューブ２０の膨らみ２２ａにより加圧され、その結果、りゅうずヘッド１０がいわゆるねじ込まれた構成にある第１の軸方向位置にキャップ１１があるとき、密封特性は、最良になる可能性がある。
【００２０】
調節りゅうずヘッド１０はまた、一方ではキャップ−パイプ組立体により、他方ではピストン３２により画定されるキャビティ内に、中心パイプ２３内の中央開口部に収容できるピストン３２だけではなく、弾性部材、たとえば、ヘリカル型の圧縮ばね３４も備える。ばね３４は、キャップ１１のカバー１２とピストン３２の肩部３２ａとの間で軸方向に圧縮され、詳細には、キャップ１１をピストン３２から間隔を置いて配置することを可能にする。ピストン３２は、ウォッチケース内に収容できる時計ムーブメントの制御ロッド（図示せず）にキャップ１１を運動学的に接続する。この制御ロッドにより、携帯者は、チューブ２０に対するキャップ１１の軸方向位置に従って、異なる制御を、たとえば、キャップ１１が、図１に示すように第１の軸方向位置にあるとき、ウォッチを巻くことを、またはキャップ１１が、図２に示すように第２の軸方向位置にあるとき、時間の補正などのある種の補正を、行うことができるようになる。
【００２１】
ピストン３２およびばね３４はまた、安全バルブのおかげで、ウォッチケースの内側の圧力の調整に関与し、このことの詳細な説明については、本明細書で以後提供する。
【００２２】
したがって、ピストンおよびばねは、互いに独立した、２つの主要な機能を行うこと、すなわち、一方では、さまざまな調節を行うために制御ロッドの活動化を行うこと、他方では、ウォッチケースの内側の圧力の調整を行うことに関与するという利点を有する組立体を形成する。
【００２３】
さらに、りゅうずヘッド１０は、キャップ１１およびチューブ２０が分離するのを防止する閉塞手段を備える。
【００２４】
本発明によれば、閉塞手段は、チューブ２０の内壁２１上に配列され、かつピストン３２の一部が当接することができる支持表面を備える、肩部２１ｂを備える。閉塞手段はまた、中心パイプ２３の基部に提供され、かつピストン３２上に提供される肩部３２ａと当接するように設計された、リム２３ａを備える。
【００２５】
有利には、チューブ２０の肩部２１ｂと当接することができる、ピストン３２の一部は、ピストン３２と一体化したガイドねじ３３のヘッド３３ａにより形成される。より詳細には、ピストン３２は、ガイドねじ３３がねじ込まれる雌ねじ立てを備える。ガイドねじ３３はまた、円錐の形をとるくぼんだ中心部分３３ｂだけではなく、チューブ２０の内壁２１まで伸長する周辺環状部分３３ｃも備える。ガイドねじ３３のヘッド３３ａの周辺環状部分３３ｃは、キャップ１１がその第２の軸方向位置になったとき、チューブ２０のこの肩部２１ｂと当接するように設計される。さらに、中心パイプ２３の基部にあるリム２３ａは、前記リム２３ａがピストン３２の肩部３２ａの下面と当接するとき、ピストン３２の肩部３２ａの下面の下方に、この目的のために提供されるノッチ３２ｃで係合するように設計される。その結果、りゅうずヘッド１０がねじを戻されたとき、中心パイプ２３は、ピストン３２の肩部３２ａにより塞がれ、ピストン３２の肩部３２ａ自身、ガイドねじ３３と一体化しているので、塞がれ、ガイドねじ３３自身、チューブ２０の肩部２１ｂにより塞がれる。これにより、キャップ１１がチューブ２０から分離するようになるのを防止するなどのために、りゅうずヘッド１０のねじを過剰に戻すことを防止することが可能になる。
【００２６】
より弱い応力をりゅうずヘッドの密封に受けさせるために、およびたとえばプランジャを表面まで持ち上げることにより生じる、ウォッチケースの内側の圧力変動をよりよく調整するために、りゅうずヘッド内に安全バルブを組み込む。
【００２７】
安全バルブは、ケース内の過剰な圧力を解放するために、バルブが開いた構成にあるとき、ウォッチケースの内側と流体でつながっていることができるように設計された放出路を備える。
【００２８】
一変形形態によれば、バルブは、気体、好ましくはヘリウムの形をとる流体を出力する速度を制御するために、放出路の内側に配列された圧力調整器を備える。このために、圧力調整器は、放出路の入力３０にはめ込まれたボール座部３７と協働するボール３５を備える。
【００２９】
ボール座部３７、チューブ２０、および軸方向スカート１３は、キャップ１１の回転軸Ａに対して回転対称である。ボール、およびボールの座部は、たとえば、とりわけ金属、セラミック、または熱可塑性材料に基づくことができる。
【００３０】
座部３７は、回転軸がキャップ１１の回転軸Ａと一致する開口部を備える環状基部３７ａを備える。この開口部の直径は、ボール３５の直径よりも小さい。この開口部は、バルブの放出路の入力３０に対応する。座部３７はまた、ボール３５と接触するように設計された、傾いた円形支持表面３７ｂと、キャップ１１の回転軸Ａに対してボール３５を確実に中心合わせするための円筒壁３７ｄと、ガイドねじ３３のヘッド３３ａの周辺環状部分３３ｃと対向して配置される周辺支持表面３７ｃとを備える。
【００３１】
ガイドねじ３３のヘッド３３ａは、ボール３５と対向して配置される。ガイドねじ３３および座部３７を構成および位置決めすることにより、圧力の影響下でボール３５を内側で移動させることができる空間の範囲を定めるケージを形成することが可能になる。
【００３２】
ボール３５は、ボールの上流にあるウォッチケース内の圧力が所定の値よりも低いとき、放出路内を気体が通過するのを妨害するなどのために、ボール３５の座部３７上に配列される。この値は、状況に適合させることができ、この適合は、ピストン３２の端部をボール３５に対して支持し続ける圧縮ばね３４を選択することにより行われる。したがって、ばね３４の特性は、バルブを開く圧力を制御するために、ピストン３２によりボール３５に加えられる応力を制御するように選択される。りゅうずヘッド１０が、ねじ込まれた構成（図１）にあるとき、ボールは、ばね３４により応力を常に受け、一方、りゅうずヘッド１０が、ねじを戻した構成（図２）にあるとき、ばね３４は、ボール３５が応力を受けない、または応力を少し受けるように適合されることが留意される。
【００３３】
図３ａ、図３ｂ、および図３ｃを参照すると、りゅうずヘッド１０は、ねじ込まれていない構成にあり、一方、ウォッチケースの内側の圧力は、臨界閾値を超える。過剰な圧力の影響下で、ボール３５は、その座部３７から押しのけられ、それにより、気体は、バルブから気体を放出することができるように、放出路の入力に到達し（図３ａ）、水路の出力３１まで（図３ｃ）この水路に沿って移動させられる（図３ｂ）ことができるようになる。
【００３４】
次に、第２の実施形態によるダイバーズウォッチ用調節りゅうずヘッド１０について、図４および図５を参照して説明する。この実施形態によるりゅうずヘッドを塞ぐための手段の動作原理は、たった今説明したものと同一である。したがって、本質的には簡潔性および明快さのために、本明細書では以後、構造上の違いだけについて説明する。
【００３５】
ねじ込まれた構成およびねじを戻した構成でそれぞれ調節りゅうずヘッドを示す図４および図５によれば、安全バルブは、前記内圧が所定の値を超えるとき、気体を透過させ、かつケースの内側から外側への流体輸送路を確立するように設計され、かつケースの外側からケースの内側へ循環する液体を透過させないように設計された膜４０を備える。このために、チューブ２０の基部の内側で、放出路の入力３０に、膜支持物４２をはめ込む。膜支持物４２は、膜４０の縁部が支持される環状基部４２ａを備え、回転軸がキャップ１１の回転軸Ａと一致する開口部を備える。この開口部は、バルブの放出路の入力３０に対応する。膜支持物４２はまた、基部４２ａに対して膜４０を把持するように設計された肩部付きリング４２ｂと、ガイドねじ３３のヘッド３３ａの周辺環状部分３３ｃと対向して配置された肩部４２ｃとを備える。放出路の一部を形成するために、肩部４２ｃと周辺環状部分３３ｃとの間にギャップを提供する。膜は、たとえば、水を透過させず、かつ気体を透過させるポリマーフィルムから構成される。典型的には、ポリマーフィルムは、気体に対して多孔性の基板により支持される。有利には、この膜は、参照番号「Ａｃｏｕｓｔｉｃ  ｖｅｎｔ（アコースティックベント）ＧＡＷ３３１」によりＧｏｒｅ（ゴア）社が販売する膜とすることができる。
【００３６】
りゅうずヘッド１０がねじを戻された構成にあり、一方、ウォッチケースの内側の圧力が臨界閾値を超えるとき、バルブから気体を放出できるようにするために、気体は、気体を透過させる膜４０と接触するようになり、その結果、膜４０を通過し、りゅうずヘッド内のさまざまな部材により形成される放出路に沿って、放出路の出力３１まで移動させられることができるようになる。
【００３７】
キャップ１１がチューブ２０から分離されるようになるのを防止するために、第１の変形形態の閉塞手段に類似する閉塞手段のおかげで、りゅうずヘッド１０のねじを過剰に戻すことは防止される。
【００３８】
本発明は、図を参照して説明した実施形態に限定されないこと、および本発明の内容から逸脱することなく、変形形態を予見することができることを認識されよう。たとえば、ピストンを単一部品とすることができる、または複数の組み立てられた部分により構成することができる。
【符号の説明】
【００３９】
１０  調節りゅうずヘッド
１１  キャップ
１２  カバー
１３  軸方向スカート
１４  円形肩部
１５  キャビティ
１６  溝
１７  密封ガスケット
１８  保持リング
２０  チューブ
２１  チューブの内壁
２１ａ  雌ねじ切られた部分
２１ｂ  肩部
２２  チューブの外壁
２２ａ  膨らみ
２３  中心パイプ
２３ａ  リム
２５  りゅうずヘッドの外壁
２５ａ  ねじ山を切られた部分
３０  入力
３１  出力
３２  ピストン
３２ａ  ピストンの肩部
３２ｃ  ノッチ
３３  ガイドねじ
３３ａ  ガイドねじのヘッド
３３ｂ  くぼんだ中心部分
３３ｃ  周辺環状部分
３４  圧縮ばね
３５  ボール
３７  ボール座部
３７ａ  環状基部
３７ｂ  傾いた円形支持表面
３７ｃ  周辺支持表面
３７ｄ  円筒壁
４０  膜
４２  膜支持物
４２ａ  環状基部
４２ｂ  肩部付きリング
４２ｃ  肩部
Ａ  キャップの回転軸
【図１】
2019020414.tif 000003
【図２】
2019020414.tif 000004
【図３ａ】
2019020414.tif 000005
【図３ｂ】
2019020414.tif 000006
【図３ｃ】
2019020414.tif 000007
【図４】
2019020414.tif 000008
【図５】
2019020414.tif 000009